(57)【要約】【課題】  回収される固体物あるいは液体の質の向上を図ることが可能なスクリューデカンタ型遠心分離機を提供する。【解決手段】  スクリューデカンタ型遠心分離機１０は、所定の方向に回転する外胴１１と、外胴１１内で外胴１１と同方向に回転する内胴１２とを備える。内胴１２の外周面には、外胴１１の内周面上に沈降した固体物を移動させるためのスクリュー板１３と、外胴１１の内周面との間に固体物の移動用の隙間をあけて配される環状のバッフル板２６，２７とが配設されている。【選択図】    図２
2005074374.tif 000002
【特許請求の範囲】
【請求項１】
所定の方向に回転する外胴と、前記外胴内で前記外胴と同方向に回転する内胴とを備えるスクリューデカンタ型遠心分離機において、
前記内胴の外周面には、前記外胴の内周面上に沈降した固体物を移動させるためのスクリュー板と、前記外胴の内周面との間に前記固体物の移動用の隙間をあけて配される環状のバッフル板とが配設されていることを特徴とするスクリューデカンタ型遠心分離機。
【請求項２】
前記バッフル板は、前記外胴の内周面上の滞留液が前記固体物の移動方向へ移動するのを抑制するものであることを特徴とする請求項１に記載のスクリューデカンタ型遠心分離機。
【請求項３】
前記バッフル板は、前記内胴の軸方向に関して前記外胴の内周面上において前記外胴の円錐部のほぼ中央位置に配され、前記バッフル板の外周面が前記固体物の界面よりも下に配されることを特徴とする請求項２に記載のスクリューデカンタ型遠心分離機。
【請求項４】
前記バッフル板は、前記固体物が脱水された後に再度滞留液と接することで液分が高くなることを抑制するものであることを特徴とする請求項１に記載のスクリューデカンタ型遠心分離機。
【請求項５】
前記バッフル板は、径方向に延在する面を含む環状部を有し、
前記環状部は、前記内胴の外周面との間に隙間をあけて配され、かつ前記外胴の内周面上に滞留する滞留液の液面下に配されることを特徴とする請求項４に記載のスクリューデカンタ型遠心分離機。
【請求項６】
原液を、比重に応じて軽液、重液、及び固体物の三相に分離する三相分離型であることを特徴とする請求項１から請求項５のうちのいずれかに記載のスクリューデカンタ型遠心分離機。
【発明の詳細な説明】
【技術分野】
【０００１】
本発明は、遠心力を利用して原液を固体分と液体分とに分離する遠心分離機に関し、特に、スクリューデカンタ型遠心分離機に関する。
【背景技術】
【０００２】
遠心分離機としては、所定の方向に回転する外胴（外胴ボウル）と、その外胴内で外胴と同方向に回転する内胴とを備えるスクリューデカンタ型遠心分離機がある（例えば、特許文献１参照）。
【０００３】
スクリューデカンタ型遠心分離機では、回転する外胴の内周面上で比重差に応じて原液が固液分離し、分離した液体及び固体物がそれぞれ回収される。なお、外胴の内周面上に沈降した固体物は、内胴の外周面に配設されたスクリュー板によって内胴の軸方向に移動されて回収される。
【特許文献１】特開平０６−０６３４５０号公報（第１図）
【発明の開示】
【発明が解決しようとする課題】
【０００４】
スクリューデカンタ型遠心分離機では、回収される液体及び固体物の質の向上が望まれる。すなわち、回収される液体に含まれる固体物の量が少なく、回収される固体物に含まれる液体の割合が少ないのが望ましい。
【０００５】
本発明は、上記事情に鑑みてなされたものであり、回収される固体物あるいは液体の質の向上を図ることが可能なスクリューデカンタ型遠心分離機を提供することを目的とする。
【課題を解決するための手段】
【０００６】
上記目的を達成するために、本発明は、所定の方向に回転する外胴と、前記外胴内で前記外胴と同方向に回転する内胴とを備えるスクリューデカンタ型遠心分離機において、前記内胴の外周面には、前記外胴の内周面上に沈降した固体物を移動させるためのスクリュー板と、前記外胴の内周面との間に前記固体物の移動用の隙間をあけて配される環状のバッフル板とが配設されていることを特徴としている。
【０００７】
このスクリューデカンタ型遠心分離機では、遠心分離によって沈降した固体物がスクリュー板によって所定の方向に移動されるとともに、バッフル板によって固体物と液体との再混合が防止される。
【０００８】
例えば、前記バッフル板が、前記外胴の内周面上の滞留液が前記固体物の移動方向へ移動するのを抑制するものであることにより、固体物と液体との再混合が防止される。
【０００９】
この場合、前記バッフル板は、前記内胴の軸方向に関して前記外胴の内周面上において前記外胴の円錐部のほぼ中央位置に配され、前記バッフル板の外周面が前記固体物の界面よりも下に配されるのが好ましい。これにより、固体物の移動方向への滞留液の移動が確実に抑制される。
【００１０】
また例えば、前記バッフル板が、前記固体物が脱水された後に再度滞留液と接することで液分が高くなることを抑制するものであることにより、固体物と液体との再混合が防止される。
【００１１】
この場合、前記バッフル板は、径方向に延在する面を含む環状部を有し、前記環状部が、前記内胴の外周面との間に隙間をあけて配され、かつ前記外胴の内周面上に滞留する滞留液の液面下に配されるのが好ましい。これにより、浮遊した固体物の移動が環状部によって妨げられるとともに、内胴と環状部との間の隙間を介して滞留液が移動する。
【００１２】
また、上記のスクリューデカンタ型遠心分離機は、原液を、比重に応じて軽液、重液、及び固体物の三相に分離する三相分離型にも好ましく適用される。
【発明の効果】
【００１３】
このように、本発明のスクリューデカンタ型遠心分離機によれば、バッフル板によって固体物と液体との再混合が防止されることから、回収される固体物及び液体の質の向上を図ることができる。
【発明を実施するための最良の形態】
【００１４】
以下、本発明の実施の形態例について図面を参照して説明する。
図１は、本発明に係るスクリューデカンタ型遠心分離機の実施の形態例を模式的に示す全体構成図である。本例の遠心分離機１０は、スラリー状等の原液を、比重に応じて軽液、重液、及び固体物の三相に分離する三相分離型である。なお、本発明は三相分離型に限定されず、例えば、二相分離型の遠心分離機にも好ましく適用される。
まず、遠心分離機１０の全体構成と基本動作について説明する。
【００１５】
遠心分離機１０は、回転自在に配設される円筒状の外胴ボウル１１と、外胴ボウル１１の内部かつ外胴ボウル１１と同軸上で回転自在に配設される内胴１２とを主体に構成されている。外胴ボウル１１及び内胴１２はそれぞれ不図示の駆動装置に接続されており、同一方向に所定の回転数（例えば、２０００〜６０００ｒｐｍ）で回転するようになっている。なお、両胴１１，１２の間には速度差が設けられており、内胴１２の単位時間あたりの回転数は、外胴ボウル１１よりもわずかに少なく（あるいは多く）なるように定められている。符号１５、１６は外胴ボウル１１及び内胴１２を回転自在に支持する軸受、１７は外胴ボウル１１と内胴１２との速度差を定めるためのギアボックス、１８は支持フレーム、１９は外胴ボウル１１を覆うケーシングである。
【００１６】
内胴１２の内部には、遠心分離の対象となる原液が供給される空間である原液供給室２０が設けられている。原液は、内胴１２に挿入状態に配設された原液供給管２１を介して原液供給室２０に供給され、内胴１２に設けられた放出口４１を介して内胴１２と外胴ボウル１１との間に放出される。
【００１７】
装置稼動時において、内胴１２と外胴ボウル１１との間に送られた原液は、遠心力によって外胴ボウル１１の内周面上に滞留するとともに、比重差に応じて、軽液、重液、及び固体物（ケーキ）の三相に分離する。分離された軽液及び重液は、外胴ボウル１１の一端に設けられた排出口３０，３１を介して外胴ボウル１１の内部からそれぞれ排出され、ケーシング１９に設けられた軽液出口３２及び重液出口３３にそれぞれ送られる。
【００１８】
一方、分離された固体物（ケーキ）は、軽液及び重液の排出側とは逆側である外胴ボウル１１の他端側に送られる。すなわち、内胴１２の外周面には、螺旋形状のスクリュー板１３が配設されており、外胴ボウル１１の内周面上に滞留している固体物は、内胴１２の回転に伴ってスクリュー板１３に押され、内胴１２の軸方向に沿って外胴ボウル１１の他端側に移動する。また、外胴ボウル１１の他端側では、外胴ボウル１１と内胴１２との速度差に応じてスクリュー板１３によって固体物が外胴ボウル１１の円錐部を移動し、液面上に搬出される間に脱水される。
【００１９】
なお、内胴１２の外周面には、上記スクリュー板１３の他に、環状のバッフル板２６，２７が配設されているが、これについては後述する。
【００２０】
外胴ボウル１１の他端側の周面には、外胴ボウル１１内の固体物を排出するための排出口２５が設けられている。外胴ボウル１１の他端側に運ばれた固体物は、この排出口２５を介して外胴ボウル１１の内部からケーシング１９内に排出される。ケーシング１９内に排出された固体分は重力によりケーシング１９に設けられた固体出口３４に送られる。
【００２１】
このように、この遠心分離機１０では、原液が軽液、重液、及び固体物に分離される。そして、それらはそれぞれ上記軽液出口３２、重液出口３３、及び固体出口３４を介して回収される。なお、上記した遠心分離に際して、必要に応じて原液に対して凝集剤が添加される。凝集剤の添加により、分離性能を高め、固体物の回収率向上を図ることが可能である。
【００２２】
次に、上記の遠心分離機１０における特徴的な部分であるバッフル板（第１バッフル板２６、第２バッフル板２７）について説明する。図２は遠心分離機１０におけるバッフル板２６，２７の配設箇所を拡大して示す図、図３は第２バッフル板の配設状態を示す図である。
【００２３】
図２及び図３に示すように、バッフル板２６，２７はそれぞれ、径方向に延在する面を含む環状部２６ａ，２７ａを有して形成され、外胴ボウル１１の内周面との間に固体物の移動用の隙間をあけて配されている。
【００２４】
第１バッフル板２６は、原液の放出口４１に対して固体物の排出側（固体物の移動方向に関して放出口４１の下流側）に配され、第２バッフル板２７は、原液の放出口４１に対して軽液及び重液の排出側（液体の移動方向に関して放出口４１の下流側）に配されている。
【００２５】
より具体的には、第１バッフル板２６は、内胴１２の軸方向に関して外胴ボウル１１上の円錐部ほぼ中央、すなわち固体物がスクリュー板１３によって掻き寄せられ、外胴ボウル１１の円錐部である程度濃縮された付近に配され、かつ内胴１２の径方向に関して第１バッフル板２６の外周面が上記固体物の界面よりも下にもぐり込むように配されている。第２バッフル板２７は、液体分（軽液、重液）の排出口３０，３１（図１参照）に近づけて配されている。より具体的には、第２バッフル板２７は、排出口３０，３１から固体排出側に向かってスクリュー板１３のピッチで２〜３巻の位置に配されている。
【００２６】
また、第１バッフル板２６の環状部２６ａは、内胴１２の外周面と接合されているの対して、第２バッフル板２７の環状部２７ａは、内胴１２の外周面との間に隙間をあけて配されている。この隙間の幅は、外胴ボウル１１上の滞留液の液面がこの隙間部分に位置するように定められる。すなわち、第２バッフル板２７の環状部２７ａが外胴ボウル１１上の滞留液の液面下に配されるように定められる。なお、図３に示す符号２７ｂは、内胴１２に対して環状部２７ａを支持するための支持部である。
【００２７】
続いて、上記バッフル板２６，２７の作用について説明する。
前述したように、装置稼動時において、外胴ボウル１１の内周面上には、遠心分離された軽液、重液、及び固体物（ケーキ）の三相が滞留し、液体分（軽液、重液）と固体物とが互いに逆方向に移動して回収される。
【００２８】
第１バッフル板２６が配設された箇所では、外胴ボウル１１上の液体分が少なくなっており、残留する液体分（主に軽液）は、第１バッフル板２６によって、固体物の移動方向への移動が妨げられる。すなわち、比重の大きい固体物は外胴ボウル１１と第１バッフル板２６との隙間を介して移動するものの、比重の小さい液体分（液体分を多く含む固体物を含む）は固体物上に位置し、第１バッフル板２６によって移動が堰き止められる。その結果、固体物からの液体の分離が促進され、回収される固体物の脱液率の向上が図られる。
【００２９】
一方、第２バッフル板２７が配設された箇所では、重液と軽液の流路が第２バッフル板２７によって分離される。すなわち、第２バッフル板２７の環状部２７ａが重液と軽液の界面位置に配されていることから、軽液はこの環状部２７ａの内径側を通過し、重液は外径側を通過する。その結果、重液と軽液の再混合が防止される。なお、液中に浮遊する固体物の多くは徐々に沈降し、他の固体物とともにスクリュー板１３によって移動されて回収される。また、滞留液は、内胴１２と第２バッフル板２７の環状部２７ａとの間の隙間を介して移動する。
【００３０】
このように、本例の遠心分離機１０では、第１バッフル板２６によって固体分からの液体の分離が促進されるとともに、第２バッフル板２６によって重液と軽液の再混合が防止される。そのため、回収される固体物に含まれる液体分が減少し、回収される固体物の質の向上が図られる。また、回収される軽液に含まれる重液の量が減少し、回収される軽液の質の向上が図られる。
【００３１】
なお、バッフル板の形状、配置位置、配置数は上記したものに限定されない。例えば、上記実施例では、内胴の軸方向にバッフル板を２つ配設しているが、１つあるいは３つ以上配設してもよい。また、バッフル板の配置高さを調整可能に構成してもよい。
【００３２】
以上、添付図面を参照しながら本発明に係る好適な実施形態について説明したが、本発明は係る例に限定されないことは言うまでもない。上述した例において示した各構成部材の諸形状や組み合わせ等は一例であって、本発明の主旨から逸脱しない範囲において設計要求等に基づき種々変更可能である。
【図面の簡単な説明】
【００３３】
【図１】本発明に係るスクリューデカンタ型遠心分離機の実施の形態例を模式的に示す全体構成図である。
【図２】遠心分離機におけるバッフル板の配設箇所を拡大して示す図である。
【図３】バッフル板の配設状態の一例を示す図である。
【符号の説明】
【００３４】
１０…遠心分離機、１１…外胴ボウル（外胴）、１２…内胴、１３…スクリュー板、１９…ケーシング、２０…原液供給室、２１…原液供給管、２６，２７…バッフル板、２６ａ，２７ａ…環状部、４１…放出口。
【図１】
2005074374.tif 000003
【図２】
2005074374.tif 000004
【図３】
2005074374.tif 000005